【事件の表示】
　平成　５年特許願第１９３１１４号「ＬＥＤ平面ディスプレイ」拒絶査定不服審判事件〔平成　７年　１月３１日出願公開、特開平　７−　２８４２７〕について、次のとおり審決する。
【結　論】
　本件審判の請求は、成り立たない。
【理　由】
１．手続きの経緯／本願発明
  本願は、平成５年７月７日の出願であって、その請求項１に係る発明は、平成１３年１２月１３日付け、平成１４年５月２日付け、平成１７年２月１４日付け、及び、平成１７年１２月２３日付け手続補正書によって補正された明細書及び図面の記載からみて、その特許請求の範囲の請求項１に記載されたとおりのものと認められるところ、請求項１に係る発明は次のとおりのものである（以下、請求項１に係る発明を「本願発明」という。）。
「【請求項１】　各発光素子をドットマトリックスに配設した平面ディスプレイにおいて、
　各素子毎に補正係数を記憶する補正係数記憶手段と、
　各素子の発光強度を指令する強度指令データを入力して、前記補正係数記憶手段から点灯すべき素子に対応した補正係数を読み取り、その補正係数に応じて前記強度指令データを補正して、補正強度指令データを演算する演算手段と、
　前記演算手段の出力する前記補正強度指令データをＲＧＢ毎に各素子に対応したラッチ
回路のアドレスに記憶する補正強度指令データ記憶手段と、
　補正強度指令データ記憶手段に記憶された前記補正強度指令データに基づいて、各素子の発光強度をデューティ比により可変的に制御する駆動手段と
　を有し、
　各素子の直線性を補正するために、
　前記強度指令データの入力レンジを複数に分割し、その分割したレンジ毎に補正係数を設定し、
　駆動時には、強度指令データがどのレンジに存在するかを判定した後、そのレンジにおける補正係数を用いて、強度指令データを補正することを特徴とするＬＥＤ平面ディスプレイ。」
　
２．引用刊行物 
　これに対し、当審において、平成１７年１０月３１日付けで通知した拒絶の理由には、本願出願前に頒布された以下の刊行物が引用されており、各刊行物の記載事項は、後述する「２−１．」乃至「２−３．」に記載のとおりである。
　
刊行物１：特開昭５９−１８１８８０号公報
刊行物２：特開昭５９−１８０５８６号公報
刊行物３：特開平４−１８８６５号公報
２−１．刊行物１ 
　刊行物１（特開昭５９−１８１８８０号公報）には、図面とともに、次の事項が記載されている。
１ａ．「多数の発光素子を配列して映像画面を形成した表示器と、映像信号としてデイジタル化された階調データを出力する信号発生手段と、前記表示器の少なくとも１画面に対応する階調データを記憶させる第１のメモリと、前記発光素子に所定の電力を供給したとき、この発光素子毎に平均光量との偏差分を階調データの階差に換算した値を記憶させる第２のメモリと、前記第１のメモリの階調データを前記第２のメモリのデータによつて補正して出力する演算回路と、この演算回路により出力される階調データに対応する時間だけ前記発光素子を点灯させる表示制御回路とを具備したことを特徴とする映像表示装置。」（１ページ左下欄「特許請求の範囲」）
１ｂ．「この種の従来の装置は第１図に示すように、・・・映像信号が、・・・映像信号発生装置１３に加えられる。この映像信号発生装置１３はアナログ信号をデイジタル信号に変換するとともに、この映像信号が映像画面を構成する発光素子の発光階調の何れに属するかを判定してデイジタル化された階調信号を発生する。・・・タイミング信号発生部１５が書き込み、読出し信号Ｓ１、行選択用のアドレス信号Ｓ２、列選択用のアドレス信号Ｓ３およびラッチ信号Ｓ４を出力し、・・・カウンタ１６が・・・階調数に応じた値までレベルが１づつ増える階調レベル信号Ｓ５を出力している。ここで、映像信号発生装置１３の出力端には、タイミング信号発生部１５の書き込み、読出し信号Ｓ１およびアドレス信号Ｓ２，Ｓ３によって一画面分の階調データを記憶する表示メモリ１７が設けられており、ちょうど一画面分の階調データの書き込みを終了した時点で、この階調データが読み出されて表示制御回路２０に加えられる。この表示制御回路２０はアドレス信号Ｓ２によって作動する行選択デコーダ、アドレス信号Ｓ３およびラッチ信号Ｓ４によって作動する列選択デコーダ２２、発光素子のそれぞれに対応してマトリクス状に配置されるラッチ２３およびコンパレータ２４等をそなえており、前記表示メモリ１７から読み出された発光素子毎の階調データがラッチ２３に記憶されるとともに、ラッチ２３の階調データの数値が階調レベル信号（当審注；「階調レベ信号」は「階調レベル信号」の誤記と認められるので読み替えた。）Ｓ５の値より大きくなっている期間、表示信号Ｓ００〜Ｓｍｎを出力する。また、表示信号Ｓ００〜Ｓｍｎは、トランジスタ等のスイッチング素子をそなえる表示駆動回路３０に加えられ、この表示駆動回路（当審注；表示駆動制御回路は「表示駆動回路」の誤記と認められるので読み替えた。）３０が表示器４０の映像画面を形成する発光素子４１を点灯させることになる。」（１ページ右下欄４行〜２ページ右上欄３行）
１ｃ．「表示器４０を構成する表示素子４１としては・・・発光ダイオード、・・・等が用いられるが、縦横に多数個配列される発光素子には、一定の入力に対して略等しい発光特性を持つものが要求される。このため、従来は発光特性が類似した発光素子を選別したり、あるいは、発光素子毎に光量調整回路を設けたりしていたが、１つの表示器に数万個の発光素子を用いるものにあっては、発光特性の類似する素子を揃えることが極めて難しく、・・・数万個に及ぶ発光素子の夫々に光量調整回路を設けることは現実的には難しく、・・・階調データ対応した画像を忠実に映出することができないという欠点があった。」（２ページ右上欄１２行〜左下欄９行）
１ｄ．「第２図は本発明に係る映像表示装置の構成例を示すブロック図で、第１図と同一の符号を付したものはそれぞれ同一の要素を示している。そして、映像画面を形成する発光素子４１に一定の電力を供給したとき、発光素子４１毎に平均光量との偏差分を階調データの階差に換算して記憶するとともに、表示メモリ１７と同期してアドレスの等しいデータを読出すようにした光量補正メモリ５１と、表示メモリ１７および光量補正メモリ５１から読み出されたデータを加減算して表示制御回路２０に加える累算器５２を付加した点が第１図と異なっている。」（２ページ右下欄１２行〜３ページ左上欄２行）
１ｅ．「かくして、同一の電力に対して暗すぎる発光素子はより長く点灯されて明るくなり、逆に同一の電力に対して明るすぎる発光素子は点灯時間が制限されて暗くなることから、一定の階調データに対して光量を均一化することができる。」（３ページ右上欄１７行〜左下欄１行）
　
２−２．刊行物２
　刊行物２（特開昭５９−１８０５８６号公報）には、図面とともに、次の事項が記載されている。
２ａ．「多数のカラー表示素子をマトリクス状に配置し、表示すべき映像の階調に応じて個々のカラー表示素子をパルス幅制御して調光するカラー表示装置において、その都度の映像の階調を個々のカラー表示素子ごとに一時的に記憶するラツチと、各カラー表示素子のパルス幅に対する発光輝度の直線特性からのずれを修正して直線化するために輝度に対する修正パルス幅特性を記憶したＲＯＭと、前記ラツチの記憶内容を前記ＲＯＭの記憶内容に従つて修正出力する手段とを設けたことを特徴とするカラー表示装置。」（１ページ左下欄「特許請求の範囲」）
２ｂ．「本発明の目的は、個々のカラー表示素子のパルス幅−輝度特性の違いやバラツキを補正し、・・・同一階調の映像信号に対しては同一輝度を得ることができ、したがつて色ずれを生じたりすることのないカラー表示装置を提供することにある。」（１ページ右下欄１６行〜２ページ左上欄１行）
２ｃ．「第２図は本発明装置の全体構成を示すものである。・・・映像信号発生装置４は、同期信号検出回路３からの同期信号に同期して動作するタイミング信号発生部５からのタイミング信号に基づいて受信部２からのアナログ画像信号をデイジタル映像信号に変換して出力し、それを１画面メモリー６を介して、カラー表示素子（図示せず）に対応してマトリクス状に配置されたラツチ７に一時的に記憶させる。・・・各ラツチにはそれぞれ比較器１１が付属され、所属のラツチ７からそこに記憶された映像信号すなわちその都度の階調信号が入力される。この装置にはさらに同期信号検出回路３の出力側に発振器１２および分周回路１３を介してＲＯＭ（読出し専用メモリー）１４が設けられている。ＲＯＭ１４はカラー表示素子と同数のアドレスを有し、各アドレスには対応するカラー表示素子の修正パルス幅データが予め格納されている。」（２ページ左上欄１１行〜左下欄４行）
２ｄ．「ＲＯＭ１４へのデータ格納は次にようにして行われる。すなわち、第１図に示した特性線Ｒ，Ｂ，Ｇの例で説明するならば、まず特性線Ｒの表示素子の場合はもともと直線性をもつているので特に修正の必要はなく、例えば階調Ｋ１の輝度に対して無修正のパルス幅Ｐ１がそのまま格納され、他の階調に対してもそのまま直線性をもつて格納される。特性線Ｂの表示素子の場合、階調Ｋ１に対して直線特性からずれており、それに対応してパルス幅Ｐ２に修正されたデータが格納される。他の階調に対しても特性のずれに対応して修正されたパルス幅データが格納される。・・・ＲＯＭ１４には１つのアドレスに対して赤（Ｒ）、青（Ｂ）、緑（Ｇ）の各色に対してそれぞれ例えば６４階調に階調分けされた輝度のところでパルスオンならば１信号を、パルスオフならば０信号を記憶している。したがつて、６４階調の場合、各色別に６４ビツトの記憶領域を持つことになる。」（２ページ左下欄５行〜右下欄６行）
２ｅ．「ＲＯＭ１４の記憶内容は分周回路１３からのパルス信号・・・として順次読出され、ＡＮＤゲート１５により発振器１２の出力信号との論理積をとつてカウンタ１６に入力される。このカウンタ１６のカウント出力信号Ｂが各比較器１１の第２の入力端子に入力される。比較器１１の出力信号によつて、対応するカラー表示素子が出力ドライバ（図示せず）を介して点灯制御される。・・・タイミング信号発生部５の各アドレス信号ＲＡ，ＣＡに基づいて行アドレスデコーダ８および列アドレスデコーダ９を介して例えばＲ０行、Ｃ０列のラツチ７および比較器１１が選択されたものとすると、比較器１１はラツチ７からのデータ信号の値Ａとカウンタ出力の値Ｂとを比較し、Ｂ≦Ａの間はパルスオンとするための出力信号を出し、Ｂ＞Ａとなつたところでオフとする。」（２ページ右下欄９行〜３ページ左上欄６行）
　
２−３．刊行物３
　刊行物３（特開平４−１８８６５号公報）には、図面とともに、次の事項が記載されている。
３ａ．「ガンマ補正特性を折れ線近似し、各線分の傾きデータと切片データを記憶する記憶手段と、入力信号のレベルを上記記憶手段の読出アドレスに変換するアドレス変換手段と、該アドレス変換手段からのアドレスに基づいて上記記憶手段から読み出された傾きデータと上記入力信号を乗算する乗算手段と、上記アドレス変換手段からのアドレスに基づいて上記記憶手段から読み出された切片データと上記乗算手段からの乗算値を加算する加算手段とを有することを特徴とするガンマ補正回路。」（１ページ左下欄「特許請求の範囲」）
　
３．対比・判断
　上記「２−１．」の記載１ａ．〜１ｅ．から、刊行物１には、次の発明（以下、「刊行物１記載の発明」という。）が記載されているものと認められる。
「各発光素子４１を縦横に多数個配列した表示器４０、各発光素子毎の平均光量との偏差分を階調データの階差に換算して記憶する光量補正メモリ５１、一画面分の階調データを記憶する表示メモリ１７、表示メモリ１７および光量補正メモリ５１から読み出されたデータを加減算して表示制御回路２０に加える累算器５２、表示制御回路２０にアドレス信号、ラッチ信号を与えるタイミング信号発生部１５を備えた映像表示装置であって、表示制御回路２０は、累算器５２から出力された発光素子毎の階調データが記憶されるラッチ２３、及び、ラッチ２３に格納された階調データに基づき各発光素子の点灯期間を制御するトランジスタ等のスイッチング素子をそなえる表示駆動回路３０を有し、一定の階調データに対して各素子の発光光量を均一化するようにした、発光ダイオード等を発光素子とする映像表示装置」
　本願発明（前者）と上記刊行物１記載の発明（後者）とを対比する。
　後者の「各発光素子４１を縦横に多数個配列した表示器４０を備えた発光ダイオード等を発光素子とする映像表示装置」は、前者の「各発光素子をドットマトリックスに配設した平面ディスプレイ」及び「ＬＥＤ平面ディスプレイ」に相当する。後者の各素子の発光強度は、各素子が表示すべき階調によって決まるものであるから、後者の「階調データ」は、前者の発光強度を指令する「強度指令データ」に相当する。後者の「累算器５２」は、表示メモリの階調データと光量補正メモリの階差を加減算するものであるから、前者の、補正強度指令データを演算する「演算手段」に相当し、また、後者の、累算器５２から出力された発光素子毎の階調データが記憶される「ラッチ２３」は、前者の、演算手段の出力する補正強度指令データを記憶する「補正強度指令データ記憶手段」に相当する。後者の「表示駆動回路３０」は、ラッチ２３に格納された階調データに基づき各発光素子の点灯期間を制御するものであるから、前者の、補正強度指令データ記憶手段に記憶された補正強度指令データに基づいて、各素子の発光強度を可変的に制御する「駆動手段」に相当する。
　後者の、各発光素子毎の平均光量との偏差分を階調データの階差に換算して記憶する「光量補正メモリ５１」と、前者の、各素子毎に補正係数を記憶する「補正係数記憶手段」とは、ともに、各発光素子毎の発光光量の偏差を補正するために記憶しているものであるから、「補正データ記憶手段」である。　　
　以上より、両者は、
「各発光素子をドットマトリックスに配設した平面ディスプレイにおいて、各素子毎に補正データを記憶する補正データ記憶手段と、各素子の発光強度を指令する強度指令データと前記補正データ記憶手段の点灯すべき素子に対応した補正データとから補正強度指令データを演算する演算手段と、前記演算手段の出力する前記補正強度指令データを各素子毎に記憶する補正強度指令データ記憶手段と、補正強度指令データ記憶手段に記憶された前記補正強度指令データに基づいて、各素子の発光強度を可変的に制御する駆動手段とを有するＬＥＤ平面ディスプレイ。」
　の点の構成で一致し、以下の点で相違する。
［相違点１］　　
　前者が、補正強度指令データをＲＧＢ毎に各素子に対応したラッチ回路のアドレスに記憶しているのに対し、後者は、累算器５２から出力された発光素子毎の階調データを各発光素子に対応したラッチ２３を設けて記憶してはいるものの、ＲＧＢ毎に記憶する点については記載がなく、また、各素子に対応したラッチ回路のアドレスに記憶することも明示されていない点。
［相違点２］
　前者が、各素子毎に補正係数を記憶する補正係数記憶手段と、各素子の発光強度を指令する強度指令データを入力して、補正係数記憶手段から点灯すべき素子に対応した補正係数を読み取り、その補正係数に応じて前記強度指令データを補正して、補正強度指令データを演算し、また、各素子の直線性を補正するために、強度指令データの入力レンジを複数に分割し、その分割したレンジ毎に補正係数を設定し、駆動時には、強度指令データがどのレンジに存在するかを判定した後、そのレンジにおける補正係数を用いて、強度指令データを補正しているのに対し、後者はこのような構成を有していない点。
［相違点３］
　前者が、各素子の発光強度をデューティ比により可変的に制御しているのに対し、後者は、発光強度の制御に関してそのような記載がない点。
　
　上記各相違点について検討する。
［相違点１］について
　刊行物２には「多数のカラー表示素子をマトリクス状に配置し、表示すべき映像の階調に応じて個々のカラー表示素子をパルス幅制御して調光するカラー表示装置において、その都度の映像の階調を個々のカラー表示素子ごとに一時的に記憶するラツチと、各カラー表示素子のパルス幅に対する発光輝度の直線特性からのずれを修正して直線化するために輝度に対する修正パルス幅特性を記憶したＲＯＭと、前記ラツチの記憶内容に従つて修正出力する手段とを設けたことを特徴とするカラー表示装置によって、個々のカラー表示素子のパルス幅−輝度特性の違いやバラツキを補正し、同一階調の映像信号に対しては同一輝度を得ることができ、したがつて色ずれを生じたりすることのない」ようにすることが示されている（「２−２．」の記載２ａ．及び２ｂ．参照。）。そして、これは、本願明細書の段落【０００７】「【発明の作用及び効果】各素子毎の特性は、補正係数として補正係数記憶手段に記憶される。そして、各素子に対する強度指令データが与えられると、この各素子毎の補正係数に従って、強度指令データが補正される。即ち、同一の指令値を与えても発光強度の低い素子は補正係数が大きく、発光強度の高い素子は補正係数が小さく設定される。そして、各素子に対して同一の強度指令データが与えられた時、各素子毎に異なる補正強度指令データに基づいて、各素子が駆動され、各素子は同一の発光強度で発光することになる。この結果、発光ムラ、色調ムラがなくなる。」との記載に相応するものである。
　ＲＧＢ毎に各素子に対応した発光輝度の補正を行うことは、上記のように本願発明と同様の作用効果を有する刊行物２記載のカラー表示装置に示されているところであるから、この点が格別のものとは言えず、また、各素子に対応したアドレスにデータを記憶することも普通に行われているところであるから（例えば、「２−２．」の記載２ｃ．等参照。）、この点にも格別のものは認められない。
　
［相違点２］について
　刊行物２の「ＲＯＭ１４へのデータ格納は次にようにして行われる。すなわち、第１図に示した特性線Ｒ，Ｂ，Ｇの例で説明するならば、まず特性線Ｒの表示素子の場合はもともと直線性をもつているので特に修正の必要はなく、例えば階調Ｋ１の輝度に対して無修正のパルス幅Ｐ１がそのまま格納され、他の階調に対してもそのまま直線性をもつて格納される。特性線Ｂの表示素子の場合、階調Ｋ１に対して直線特性からずれており、それに対応してパルス幅Ｐ２に修正されたデータが格納される。他の階調に対しても特性のずれに対応して修正されたパルス幅データが格納される。」（「２−２．」の記載２ｄ．参照。）との記載からみて、刊行物２記載のＲＯＭ１４は、各素子について、直線特性からのずれを補正するために、各階調毎の特性のずれに対応した複数の補正値を記憶しているものである。そして、このような直線性からのずれは、各発光素子がＬＥＤの場合でも生じることから、ＬＥＤの場合にも、ずれの補正が必要なことは明らかである（例えば、特開平３−６９９９１号公報参照）。
　一方、刊行物３には、ガンマ補正特性を折れ線近似し、各線分の傾きデータ等を記憶する記憶手段と、入力信号のレベルを上記記憶手段の読出アドレスに変換するアドレス変換手段と、該アドレス変換手段からのアドレスに基づいて上記記憶手段から読み出された傾きデータと上記入力信号を乗算する乗算手段等について記載されており（「２−３．」の記載３ａ．参照。）、直線特性からのずれの補正を行う構成として、入力信号のレベルを、折れ線近似の各線分に対応する複数のレンジに分割し、アドレス変換手段で入力信号がどのレンジに属するかを判定し、そのレンジにおける傾きデータを記憶手段から読み出して、入力信号と乗算するという技術事項が示されているものと認められる。そして、この傾きデータは補正係数といえるものである。
　したがって、上記相違点２に係る構成は、刊行物１記載の発明に、刊行物２及び３記載の技術事項を適用することにより当業者が容易に推考し得たものである。
　
［相違点３］について
　刊行物１にも発光素子の点灯時間を調整することは記載されており、また、発光ダイオードの輝度調整に当たり、デューティを調整して行うことも従来周知（例えば、上記した特開平３−６９９９１号公報の４ページ左下欄１〜１０行には「発光ダイオードの品質のばらつきによって同一デューテイの点灯時間では表示パネル毎に輝度差更に色調差を生じるのを避けられない。そこで、組付けを終って検査の段階で輝度差や色調差を目視などによって測定し、これらが均等となるように・・・補正信号として電子式制御器７のメモリに書き込んでおく。」との記載がある。）であるから、この点にも格別のものは認められない。
　この点に関連し、審判請求人は、当審の通知した拒絶理由に対する平成１７年１２月２３日付け意見書において、「本願発明は、ＬＥＤ平面ディスプレイであって、ＬＥＤは電流値自体を変化させるとその発光のピーク波長が変化する特徴があり、「輝度」の補正のためには電流値ではなくパルス幅（発光時間）を変化させる必要があります。当該「発光時」のパルス幅の割合が本願明細書で言う「デューティ比」です。この点で、他の発光素子を用いた場合とは技術的困難性が全く異なるものです。」と主張しているが、上記のように発光ダイオードの輝度差や色調差の調整をデューティ比を変化させて行うことは周知であるから、意見書の主張は採用できない。
　
　そして、本願発明による効果も、刊行物１〜３の記載及び周知事項から当業者が予測しうる範囲内のものにすぎない。
　
４．むすび
　以上のとおり、本願の請求項１に係る発明は、刊行物１〜３に記載された発明及び周知事項に基づいて、当業者が容易に発明をすることができたものであり、特許法２９条第２項の規定により特許を受けることができない。
　よって、結論のとおり審決する。